(57)【要約】【課題】自動車車室内で使用する携帯機器用充電器の機能アップを図る。【解決手段】充電器１０が、自動車車室内の電源ソケットに接続されるプラグ部１４を備えた本体１２と、該本体に対して電気コード２０で接続された、携帯機器のバッテリーに接続可能なコネクター２４とを有し、該コネクターの外表面に照明装置２８を設けた携帯機器用充電器。照明装置の点灯・消灯用スイッチボタン３４を、コネクターの外表面に設けると便利である。【選択図】      図１
2005027367.tif 000002
【特許請求の範囲】
【請求項１】
自動車車室内に配設された電源ソケットに接続して使用する携帯機器用充電器において、
前記充電器は、前記電源ソケットに接続するプラグ部を備えた本体と、該本体に対して電気コードで接続された、前記携帯機器のバッテリーに接続可能なコネクターとを有し、
該コネクターの外表面に照明装置を設けたことを特徴とする携帯機器用充電器。
【請求項２】
前記照明装置の点灯・消灯用スイッチボタンを、前記コネクターの外表面に設けたことを特徴とする請求項１に記載された携帯機器用充電器。
【発明の詳細な説明】
【０００１】
【発明の属する技術分野】
本発明は、自動車車室内に配設された電源ソケットに接続して使用する携帯機器用充電器に関するものである。
【０００２】
【従来の技術】
携帯機器のバッテリーに充電を行うための、自動車車室内用公知充電器の一例を図３に示す。この充電器は、充電器本体０１と、該充電器本体０１に一体化されたプラグ部０２と、充電器本体０１から延び出した電気コード０３と、該電気コード０３の延出先端部に接続されたコネクター０４とで構成されている。プラグ部０２は、自動車車室内に配設された電源ソケットに差し込んで使用する形状になされている。充電器の使用に当たっては、プラグ部０２を電源ソケットに差し込んだ状態で、携帯機器（例えば、携帯電話）のバッテリー接続端子にコネクター０４を接続する。
【０００３】
かかる携帯機器用充電器は、その名称どおり、充電を行うためにのみ使用され、非使用時には、自動車車室内のコンソールボックス等に収納しておくのが一般的である。
【０００４】
これに対して、充電器本体の内部に発光体を設けた充電器が知られている（例えば、特許文献１、２参照）。この公知充電器の照明は、夜間に充電器の位置を確認するために便利なものであるが、充電器本来の機能を支援するという範囲内の付加的機能を有するに留まる。また、これらの充電器は、自動車車室内で専ら使用するためのものではない。
【０００５】
【特許文献１】登録実用新案第３０９２２４０号公報。
【特許文献２】登録実用新案第３０８２７２９号公報。
【０００６】
【発明が解決しようとする課題】
自動車車室内で使用するための公知の携帯機器用充電器（図３）は、充電という本来の機能のみを有するものであり、非使用時に、自動車車室内のコンソールボックス等に収納されているため、自動車車室内の内装品としての機能を有するものではなかった。
【０００７】
本発明は、かかる課題認識の下でなされたものであり、その目的とするところは、自動車車室内で使用する携帯機器用充電器の機能アップを図り、本来の機能を超えて自動車車室内の内装品として好適に使用できる便利な携帯機器用充電器を提供することである。
【０００８】
【課題を解決するための手段】
この目的は、以下の構成を有する携帯機器用充電器を提供することによって達成される。
自動車車室内に配設された電源ソケットに接続して使用する携帯機器用充電器であり、充電器が、自動車車室内電源ソケットに接続するプラグ部を備えた本体と、該本体に対して電気コードで接続された、携帯機器のバッテリーに接続可能なコネクターとを有し、該コネクターの外表面に照明装置を設けて成る携帯機器用充電器。
【０００９】
かかる構成によれば、照明装置がコネクターの外表面に付されているため、夜間において、携帯機器のバッテリーに対する充電を行なう際に、コネクターの位置を探す必要がなく、照明を確認して、携帯機器に対して即座にコネクターを接続できる。また、車内ルームランプに依存することなく、コネクターに設けた照明装置で、充電器に接続した携帯機器を照射することができる。さらに、充電器のプラグ部を自動車車室内に配設された電源ソケットに接続した状態で、携帯機器のバッテリーに対する充電を行なっていない間であっても、コネクターの外表面に設けた照明装置を点灯させて、夜間における自動車車室内の室内灯として利用できる。さらにまた、非充電状態で、電気コードの長さを利用して、車室内に置いた物品を照らす、手元の地図を照らす、足元を照らす等、照明位置を最適位置に設定することができ、便利である。
【００１０】
本発明の一好適態様によれば、照明装置の点灯・消灯用スイッチボタンが、コネクターの外表面に配設される。このスイッチボタンを設けることにより、照明装置を常時点灯しておくのではなく、必要に応じて消灯し、電源である自動車用バッテリーの消費電力の節減を図ることができる。
【００１１】
本発明の別の好適態様では、照明装置として発光ダイオード（ＬＥＤ）を使用する。そして、発光ダイオードの発光色を選択することにより、夜間における自動車車室内の装飾用室内灯として有効に利用することができる。
以下、図１、図２に示した本発明の一具体例に係わる携帯機器用充電器について説明する。
【００１２】
【発明の実施の形態】
図１に、自動車車室内に配設された電源ソケットに接続して使用する携帯機器用充電器１０の全体を示している。
充電器１０は、充電器本体１２と、該充電器本体１２に一体に形成されたプラグ部１４と、充電器本体１２から延び出した伸縮自在な巻線式電気コード２０と、該電気コード２０の延出先端部に接続されたコネクター２２とで構成されている。
【００１３】
プラグ部１４は、自動車車室内に配設された電源ソケットに差し込んで使用する形状になされており、プラス端子１６およびマイナス端子１８を有する。
コネクター２２は、偏平形状の樹脂製ハウジング２４と、該ハウジング２４の先端面から突出する受け口部分（ソケット）２６と、ハウジング２４の一方の平坦面部分に配設された照明装置２８と、ハウジング２４の他方の平坦面部分に配設された照明装置点灯・消灯用スイッチボタン３４（図２参照）とを含む。
【００１４】
照明装置２８は、ハウジング２４の平坦壁に形成した開口に臨んでハウジング２４内に配設した発光体（ＬＥＤ）３２と、前記開口部分に装着されて発光体３２を覆う透明材料製カバー３０とを含む。照明装置２８の点灯、消灯は、スイッチボタン３４の操作で行なわれる。
【００１５】
携帯機器用充電器１０の構成は以上のとおりである。その使用に当たっては、先ず、充電器本体１２と一体に形成されたプラグ部１４を、自動車車室内に配設された電源ソケットに差し込み接続する。次いで、コネクター２２の受け口部分（ソケット）２６を携帯機器（例えば、携帯電話）のバッテリー接続部に接続する。この接続によって、携帯機器のバッテリーに対する充電が行なわれる。
【００１６】
その際、スイッチボタン３４の操作で、照明装置２８の発光体（ＬＥＤ）３２を点灯状態にしておけば、夜間であっても、車両のルームランプを使用することなく、充電対象である携帯機器のみを照射することができ、車両バッテリー電力の節減を図りながら、携帯機器の取扱を容易に行なうことができる。
【００１７】
携帯機器のバッテリーに対する充電を終えた後も、充電器１０を自動車車室内に配設された電源ソケットに差し込んだままにして、夜間、照明装置２８を点灯状態にしておけば、電気コード２０の伸縮を利用してコネクター２２の位置を適当に定めることにより、車両乗員の足元を照らす、地図を見る、夜間装飾灯として使用する等、照明装置２８を有効利用できる。
また、照明装置２８を点灯させた状態で携帯機器のバッテリー充電を行なう際には、夜間であってもコネクター２２の位置を容易に確認することができ、便利である。
【００１８】
【発明の効果】
以上、説明したとおり、自動車車室内に配設された電源ソケットに接続して使用する携帯機器用充電器であり、充電器が、自動車車室内電源ソケットに接続するプラグ部を備えた本体と、該本体に対して電気コードで接続された、携帯機器のバッテリーに接続可能なコネクターとを有し、該コネクターの外表面に照明装置を設けて成る携帯機器用充電器が提供された。
照明装置がコネクターの外表面に付された斯かる構成によれば、以下の利点が得られる。
（１）夜間において、携帯機器のバッテリーに対する充電を行なう際に、コネクターの位置を探す必要がなく、照明を確認して、携帯機器に対して即座にコネクターを接続できる。
（２）車内ルームランプに依存することなく、コネクターに設けた照明装置で、充電器に接続した携帯機器を照射することができる。
（３）充電器のプラグ部を自動車車室内に配設された電源ソケットに接続した状態で、携帯機器のバッテリーに対する充電を行なっていない間であっても、コネクターの外表面に設けた照明装置を点灯させて、夜間における自動車車室内の室内灯として利用できる。
（４）非充電状態で、電気コードの長さを利用して、車室内に置いた物品を照らす、手元の地図を照らす、足元を照らす等、照明位置を最適位置に設定することができ、便利である。
（５）照明装置の点灯・消灯用スイッチボタンをコネクターの外表面に設けた構成では、充電器のプラグ部を自動車車室内に配設された電源ソケットに接続した状態で、携帯機器のバッテリーに対する充電を行なっていない間、照明装置を常時点灯しておくのではなく、必要に応じて消灯し、電源である自動車用バッテリーの消費電力の節減を図ることができる。
（６）照明装置の点灯・消灯用スイッチボタンをコネクターの外表面に設けた構成によれば、昼間であっても、充電器を自動車車室内に配設された電源ソケットに接続したままの状態にしておいても、照明装置を消灯しておけば、無駄な車両バッテリー電力の消耗を防ぐことができる。
【図面の簡単な説明】
【図１】本発明の一具体例に係わる携帯機器用充電器の斜視図。
【図２】図１に示す携帯機器用充電器の一部であるプラグ部を示す斜視図。
【図３】従来例に係わる携帯機器用充電器の斜視図。
【符号の説明】
１０  携帯機器用充電器
１２  充電器本体
１４  プラグ部
１６  プラス端子
１８  マイナス端子
２０  電気コード
２２  コネクター
２４  ハウジング
２６  受け口部分（ソケット）
２８  照明装置
３０  カバー
３２  発光体（ＬＥＤ）
３４  スイッチボタン
【図１】
2005027367.tif 000003
【図２】
2005027367.tif 000004
【図３】
2005027367.tif 000005